(57)【要約】【課題】スリープ状態時に防災情報を受信した場合に無駄な消費電力を抑制する画像形成装置を提供する。【解決手段】ＭＦＰは、緊急度が設定された防災情報を受信する無線受信部２０２、防災情報を報知するＵＩ部２０６、ＵＩ部２０６に防災情報を報知させるＭＦＰ制御部４０１、及びＭＦＰの各部への電力供給を制御する電源制御部２０７を備える。スリープ状態で防災情報を受信した場合、該防災情報の緊急度が所定値よりも高い場合に、電源制御部２０７は、ＭＦＰ制御部４０１へ電力供給を行う。ＭＦＰ制御部４０１は、スリープ状態から電力が供給されて動作可能になると、防災情報が地震に関するものであれば電源制御部２０７にＵＩ部２０６への電力供給を行わせる。ＵＩ部２０６が動作可能になると、ＭＦＰ制御部４０１は、ＵＩ部２０６に防災情報を報知させる。【選択図】図４
2017094577.tif 000002
【特許請求の範囲】
【請求項１】
緊急度が設定された防災情報を受信する無線受信手段と、
前記防災情報を報知する報知手段と、
前記報知手段に前記防災情報を報知させる制御手段と、
前記報知手段及び前記制御手段への電力供給を制御する電源制御手段と、
前記無線受信手段から前記防災情報を取得したときに、前記電源制御手段が前記報知手段及び前記制御手段への電力供給を制限していれば、取得した前記防災情報に設定された緊急度が所定値よりも高い場合に、前記電源制御手段に前記制御手段への電力供給を行わせる割込制御手段と、を備え、
前記制御手段は、電力供給が制限された状態から電力が供給されて動作可能になると、前記防災情報の内容に応じて前記電源制御手段に前記報知手段への電力供給を行わせ、これにより前記報知手段が動作可能になると、前記報知手段に前記防災情報を報知させることを特徴とする、
画像形成装置。
【請求項２】
前記割込制御手段は、前記防災情報に設定された緊急度が最も高い値の場合に、前記電源制御手段に前記制御手段への電力供給を行わせることを特徴とする、
請求項１記載の画像形成装置。
【請求項３】
前記無線受信手段は、前記防災情報を報知する第２の報知手段を備えており、
前記割込制御手段は、前記電源制御手段が前記報知手段及び前記制御手段への電力供給を制限し、前記防災情報に設定された緊急度が前記所定値以下である場合に、前記無線受信手段に前記第２の報知手段による前記防災情報の報知を指示することを特徴とする、
請求項１又は２記載の画像形成装置。
【請求項４】
前記割込制御手段は、前記防災情報を前記制御手段に設けられる所定のメモリ領域に格納して格納場所を前記制御手段に通知し、
前記制御手段は、前記割込制御手段からの通知に応じた格納場所から前記防災情報を取得して、前記報知手段に報知させることを特徴とする、
請求項１〜３のいずれか１項記載の画像形成装置。
【請求項５】
外部装置との通信を行うネットワークインタフェースを備え
前記電源制御手段は、前記ネットワークインタフェースへの電力供給を制御し、
前記制御手段は、電力供給が制限された状態から電力が供給されて動作可能になると、前記防災情報の内容に応じて前記電源制御手段に前記ネットワークインタフェースへの電力供給を行わせ、これにより前記ネットワークインタフェースが動作可能になると、前記ネットワークインタフェースにより前記外部装置へ前記防災情報を送信することを特徴とする、
請求項１〜４のいずれか１項記載の画像形成装置。
【請求項６】
前記制御手段は、前記防災情報の内容が地震に関する情報であれば、前記電源制御手段に前記報知手段及び前記ネットワークインタフェースへの電力供給を行わせることを特徴とする、
請求項５記載の画像形成装置。
【請求項７】
地震動を検知するセンサを備えており、
前記制御手段は、前記センサが前記地震動を検知すると前記電源制御手段にすべての電力供給を遮断させることを特徴とする、
請求項１〜６のいずれか１項記載の画像形成装置。
【請求項８】
前記防災情報に関連した画像をプリント出力するプリント手段を備えており、
前記電源制御手段は、前記プリント手段への電力供給を制御し、
前記制御手段は、電力供給が制限された状態から電力が供給されて動作可能になると、前記防災情報の内容が地震に関する情報でなければ、前記電源制御手段に前記プリント手段への電力供給を行わせ、これにより前記プリント手段が動作可能になると、前記プリント手段に前記画像をプリント出力させることを特徴とする、
請求項１〜７のいずれか１項記載の画像形成装置。
【請求項９】
前記制御手段が動作可能になってからの時間を計測するタイマを備えており、
前記制御手段は、前記制御手段が動作可能になってからの時間が所定時間を経過した場合に、前記電源制御手段にすべての電力供給を遮断させることを特徴とする、
請求項８記載の画像形成装置。
【請求項１０】
緊急度が設定された防災情報を受信する無線受信手段と、前記防災情報を報知する報知手段と、前記報知手段に前記防災情報を報知させる制御手段と、前記報知手段及び前記制御手段への電力供給を制御する電源制御手段と、を備えた装置により実行される方法であって、
前記無線受信手段が前記防災情報を取得したときに、前記電源制御手段が前記報知手段及び前記制御手段への電力供給を制限していれば、取得した前記防災情報に設定された緊急度が所定値よりも高い場合に、前記電源制御手段が前記制御手段への電力供給を行い、
前記制御手段が電力供給が制限された状態から電力が供給されて動作可能になると、前記防災情報の内容に応じて前記電源制御手段が前記報知手段への電力供給を行い、
前記報知手段が動作可能になると、前記防災情報を報知することを特徴とする、
防災情報の報知方法。
【請求項１１】
緊急度が設定された防災情報を受信する無線受信手段と、前記防災情報を報知する報知手段と、前記報知手段に前記防災情報を報知させる制御手段と、前記報知手段及び前記制御手段への電力供給を制御する電源制御手段と、を備えたコンピュータに、
前記無線受信手段が前記防災情報を取得したときに、前記電源制御手段が前記報知手段及び前記制御手段への電力供給を制限していれば、取得した前記防災情報に設定された緊急度が所定値よりも高い場合に、前記電源制御手段に前記制御手段への電力供給を行わせる処理、
前記制御手段が電力供給が制限された状態から電力が供給されて動作可能になると、前記防災情報の内容に応じて前記電源制御手段に前記報知手段への電力供給を行わせる処理、
前記報知手段が動作可能になると、前記報知手段に前記防災情報を報知させる処理、
を実行させるためのコンピュータプログラム。
【請求項１２】
請求項１１記載のコンピュータプログラムを記憶するコンピュータで読み取り可能な記憶媒体。
【発明の詳細な説明】
【技術分野】
【０００１】
本発明は、防災無線の受信機能を有した複合機等の画像形成装置に関する。
【背景技術】
【０００２】
デジタル同報無線システムを使用した防災無線システムがある。デジタル同報無線システムでは、防災情報が、各所に配置された送信機により２８０［ＭＨｚ］の電波を使用して配信される。住民は、２８０［ＭＨｚ］の電波専用のチャンネルを持った防災無線ラジオを所持する。防災無線ラジオは、防災情報を受信して、音声や光の点滅により受信した防災情報の内容を住民に報知する。
防災無線ラジオのような防災無線の受信機は、個人の住宅に設置して使用することを考慮されている。しかし、昼間は多くの人がオフィスで働いているために、防災情報をオフィス内の人に報知する受信機が必要とされている。また、デジタル同報無線システムでは、２８０［ＭＨｚ］の電波を使用するために、オフィス等の建物内への防災情報の報知に向いている。
【０００３】
防災無線の受信機として、高機能の画像形成装置（以下、「ＭＦＰ：Multi Function Peripheral」という。）を用いることが検討されている。これは、ＭＦＰのオフィスへの普及率が高いためである。また、ＭＦＰは、防災情報を音で報知するためのスピーカ、光の点滅のための発光部、防災情報を文字により表示するための表示部等の報知手段を、ユーザインタフェースとして標準装備している。そのためにＭＦＰは、専用の受信機を導入する場合に比べて、導入コストや設置場所の点で防災無線の受信機に適している。
【０００４】
災害発生時には、ＭＦＰの安全性を確保することが求められる。特許文献１に開示される画像形成装置は、緊急地震速報を受信した場合に、その内容に応じて通電制御を行う。
【先行技術文献】
【特許文献】
【０００５】
【特許文献１】特開２００７−７２９１７号公報
【発明の概要】
【発明が解決しようとする課題】
【０００６】
ＭＦＰは、待機時の消費電力を削減するために、不必要な電力供給を制限する、いわゆるスリープ状態になることがある。スリープ状態では、ＭＦＰは、消費電力が大きい、例えば画像形成を行う構成への通電を制限する。ＭＦＰは、スリープ状態で防災情報を受信する場合、スリープ状態から通常の動作状態に復帰する。そのために、消費電力がスリープ状態時よりも大きくなる。
【０００７】
ＭＦＰは、受信した防災情報の緊急度が高ければ早急に該防災情報を報知する必要があるために、速やかに通常の動作状態に復帰する必要がある。しかしＭＦＰは、防災情報の緊急度が低い場合にも通常の動作状態に復帰する。そのために、防災情報の緊急度が低い場合には、ＭＦＰの消費電力が無駄に大きくなる。
【０００８】
本発明は、上記の問題を解決するために、スリープ状態時に防災情報を受信した場合に無駄な消費電力を抑制する画像形成装置を提供することを主たる課題とする。
【課題を解決するための手段】
【０００９】
本発明の画像形成装置は、緊急度が設定された防災情報を受信する無線受信手段と、前記防災情報を報知する報知手段と、前記報知手段に前記防災情報を報知させる制御手段と、前記報知手段及び前記制御手段への電力供給を制御する電源制御手段と、前記無線受信手段から前記防災情報を取得したときに、前記電源制御手段が前記報知手段及び前記制御手段への電力供給を制限していれば、取得した前記防災情報に設定された緊急度が所定値よりも高い場合に、前記電源制御手段に前記制御手段への電力供給を行わせる割込制御手段と、を備え、前記制御手段は、電力供給が制限された状態から電力が供給されて動作可能になると、前記防災情報の内容に応じて前記電源制御手段に前記報知手段への電力供給を行わせ、これにより前記報知手段が動作可能になると、前記報知手段に前記防災情報を報知させることを特徴とする。
【発明の効果】
【００１０】
本発明によれば、スリープ状態で受信した防災情報の緊急度に応じて、画像形成装置内で電力供給を再開する部分を選択することで、無駄な消費電力の増加を抑制することができる。
【図面の簡単な説明】
【００１１】
【図１】防災無線システムの構成図。
【図２】ＭＦＰの構成図。
【図３】ＵＩ部の具体的な構成例示図。
【図４】（ａ）〜（ｅ）がコントローラ部の説明図。
【図５】ＭＦＰ制御部及び割込制御部の詳細な構成例示図
【図６】（ａ）〜（ｂ）は受信データの説明図。
【図７】割込ルーチン処理を表すフローチャート。
【図８】防災情報の報知処理を表すフローチャート。
【発明を実施するための形態】
【００１２】
以下、添付図面を参照して本発明の実施形態を詳しく説明する。
【００１３】
（構成）
図１は、本実施形態の画像形成装置を含む防災無線システムの構成図である。この防災無線システムは、デジタル同報無線システムを使用しており、複数の情報発信元端末１１０〜１１２、情報配信サーバ１３０、送信局１４０、及び高機能の画像形成装置であるＭＦＰ１００を備える。情報発信元端末１１０〜１１２と情報配信サーバ１３０とは、インターネット等の公衆通信回線１２０を介して相互に通信可能に接続される。情報配信サーバ１３０と送信局１４０とは、光回線や衛星回線等を用いた専用回線１５０により通信可能に接続される。
【００１４】
情報発信元端末１１０〜１１２は、防災無線システムにおける防災情報等の情報の発信源となる。情報発信元端末１１０〜１１２は、図１では３つしか図示していないが、実際には多数設けられる。各情報発信元端末１１０〜１１２は、公衆通信回線１２０を介して、情報配信サーバ１３０へ防災情報等の情報を送信する。情報配信サーバ１３０は、公衆通信回線１２０を介して各情報発信元端末１１０〜１１２から受信した防災情報等の情報を、専用回線１５０を介して送信局１４０へ送信する。送信局１４０は、専用回線１５０を介して情報配信サーバ１３０から受信した防災情報等の情報を、例えば２８０［ＭＨｚ］の電波を用いて、無線通信によりＭＦＰ１００へ配信する。
【００１５】
ＭＦＰ１００は、図１では１つしか図示していないが、実際には多数のＭＦＰ１００が設けられる。各ＭＦＰ１００は、送信局１４０から配信される防災情報を受信する。ＭＦＰ１００は、受信した防災情報をユーザに報知する。図２は、ＭＦＰ１００の構成図である。ＭＦＰ１００は、アンテナ２０１、無線受信部２０２、コントローラ部２０３、スキャン部２０４、プリント部２０５、ＵＩ（User Interface）部２０６、電源制御部２０７、及びネットワークＩＦ部２０８を備える。
【００１６】
アンテナ２０１は、送信局１４０から送出される無線通信の電波を受信して、無線受信部２０２に入力する。無線受信部２０２は、アンテナ２０１から入力される電波により、送信局１４０から配信される防災情報を受信する。無線受信部２０２は、アンテナ２０１から入力される電波に基づいて、防災情報を表すデジタルデータである受信データを生成する。受信データは、コントローラ部２０３に入力される。無線受信部２０２は、ＭＦＰ１００の他の構成とは異なり、電池等の電源によって常に電力供給されており、ＭＦＰ１００の他の構成へ電源が供給されていない状態であっても、常に防災情報を受信することが可能である。また、本実施形態の無線受信部２０２は、防災情報を報知するために、簡易なスピーカ及び表示装置を備える。そのために、コントローラ部２０３が電力供給を制限されたスリープ状態であっても、無線受信部２０２単体で防災情報の報知が可能である。
【００１７】
コントローラ部２０３は、スキャン部２０４、プリント部２０５、ＵＩ部２０６、電源制御部２０７、及びネットワークＩＦ部２０８の動作を制御する。コントローラ部２０３は、例えばＣＰＵ（Central Processing Unit）で構成される。この他に、コントローラ部２０３は、ＡＳＩＣ（Application Specific Integrated Circuit）、ＦＰＧＡ（Field-Programmable Gate Array）等で構成されてもよい。コントローラ部２０３は、例えばＣＰＵがコンピュータプログラムを読み込んで実行することにより、防災情報の報知に関する各種の機能及び処理を実現する。コントローラ部２０３は、無線受信部２０２から受信データを取得して、受信データが表す防災情報の内容をＵＩ部２０６により報知する。
【００１８】
スキャン部２０４は、画像入力デバイスであり、原稿から原稿画像を光学的に読み取り、読み取った原稿画像を表すデジタル信号である画像信号を生成する。スキャン部２０４は、生成した画像信号をコントローラ部２０３に入力する。スキャン部２０４は、コントローラ部２０３から入力されるスキャナ制御信号により動作が制御される。
【００１９】
プリント部２０５は、画像形成デバイスであり、コントローラ部２０３から入力される画像信号に基づいて、インクやトナー等を使用して画像を用紙にプリントする。プリント部２０５は、コントローラ部２０３から入力されるプリンタ制御信号により動作が制御される。
【００２０】
ＵＩ部２０６は、ユーザとのインタフェースであり、入力部及び出力部を備える。入力部は、ユーザがＭＦＰ１００に対して各種設定を行うボタン、スイッチ、テンキー等である。出力部は、ＭＦＰ１００の状態や設定画面の表示を行う表示部、ＬＥＤ（Light Emitting Diode）等の発光部、スピーカ等である。なお表示部は、表示面に透明のタッチパッドが形成されて、入出力装置であるタッチパネルを構成する。ＵＩ部２０６は、コントローラ部２０３から入力されるＵＩ制御信号により、動作が制御される。
【００２１】
電源制御部２０７は、コントローラ部２０３、スキャン部２０４、プリント部２０５、ＵＩ部２０６、ネットワークＩＦ部２０８等のＭＦＰ１００内の各部への電力供給を制御する。電源制御部２０７は、コントローラ部２０３から入力されるスリープ制御信号、電源制御信号等の制御信号に応じて、各部への電力供給制御を行う。
【００２２】
ネットワークＩＦ部２０８は、不図示の外部ネットワークを介して、外部装置との通信制御を行うネットワークインタフェースである。コントローラ部２０３は、ネットワークＩＦ部２０８を介して外部装置との通信を行う。コントローラ部２０３は、例えばネットワークＩＦ部２０８を介して、外部装置からプリント指示を受信し、スキャン部２０４で生成された画像信号を外部装置へ送信する。
【００２３】
このような構成のＭＦＰ１００は、例えばコピー動作を行う場合、ＵＩ部２０６による入力に基づいて、コントローラ部２０３が各種画像処理の設定を行う。設定完了後にコントローラ部２０３は、スキャン部２０４を制御して、原稿画像を表す画像信号を取得する。コントローラ部２０３は、設定に従って画像処理を行い、画像形成用の画像信号を生成する。コントローラ部２０３は、生成した画像形成用の画像信号及びプリンタ制御信号をプリント部２０５に入力する。プリント部２０５は、入力された画像信号に基づいて画像形成処理を行い、画像を形成した用紙を出力する。
【００２４】
図３は、ＭＦＰ１００のＵＩ部２０６の具体的な構成例示図である。ＵＩ部２０６は、表示部３０１、ボタン、スイッチ、テンキー等のキー入力部３０２、スピーカ３０３、発光部３０４、コントローラＩＦ部３０５、及びＵＩ制御部３０６を備える。
【００２５】
表示部３０１は、液晶パネル等のディスプレイにより構成され、文字や画像の表示を行う。キー入力部３０２は、押しボタン式のスイッチ等を使用し、電源スイッチやモード選択、テンキー等による入力を行う。キー入力部３０２の機能の一部は、タッチパネルにより代替することができる。スピーカ３０３は、キータッチ時やエラー時のビープ音等を発する音出力装置である。発光部３０４は、電源の投入、遮断時の点滅、ジャムや用紙切れ等の発生時に点灯し、ＬＥＤ等の発光素子で構成される。発光部３０４は、発光素子とは別に、防災情報の報知用に赤／黄／緑等のランプがタワー状に一体となって構成される警告表示灯等を備えてもよい。
【００２６】
コントローラＩＦ部３０５は、コントローラ部２０３からＵＩ制御信号を取得するインタフェースである。ＵＩ制御部３０６は、コントローラＩＦ部３０５を介して取得したＵＩ制御信号に応じて、表示部３０１、スピーカ３０３、発光部３０４の動作制御を行う。本実施形態では、ＵＩ制御部３０６は、ＵＩ制御信号に応じて表示部３０１、スピーカ３０３、発光部３０４により防災情報の報知を行う。また、ＵＩ制御部３０６は、キー入力部３０２やタッチパネルにより入力された各種の設定を表す設定信号を、コントローラＩＦ部３０５を介してコントローラ部２０３に入力する。
【００２７】
図４は、ＭＦＰ１００のコントローラ部２０３の説明図である。コントローラ部２０３は、防災情報を受信した際に、防災情報の内容の保存や報知、予め登録しておいた関連情報の印刷等の処理を行う。そのためにコントローラ部２０３は、受信した防災情報を解析して、解析結果に基づいた報知形態の選択、内容の保存の実行の有無、印刷出力の有無を判断する。また、コントローラ部２０３は、ＭＦＰ１００が待機時の消費電力を削減するために最小限の構成にのみ通電するスリープ状態である場合に、防災情報の解析結果に応じて、電力供給制御及び動作制御を行う。
【００２８】
図４（ａ）は、このような処理を行うのためのコントローラ部２０３の構成例示図である。コントローラ部２０３は、ＭＦＰ制御部４０１、スキャン画像処理部４０２、スキャナＩＦ部４０３、プリント画像処理部４０４、プリンタＩＦ部４０５、入出力ＩＦ部４０６、通信制御部４０７、及び割込制御部４０８を備える。
【００２９】
ＭＦＰ制御部４０１は、ＭＦＰ１００全体の動作を制御する。そのためにＭＦＰ制御部４０１は、コントローラ部２０３の各部との間で通信を行う。ＭＦＰ制御部４０１の詳細な構成については後述する。
【００３０】
スキャナＩＦ部４０３は、スキャン部２０４とＭＦＰ制御部４０１との間の通信を制御するインタフェースである。スキャナＩＦ部４０３は、スキャン部２０４の動作を制御するスキャナ制御信号を、ＭＦＰ制御部４０１から受信してスキャン部２０４へ送信する。スキャナＩＦ部４０３は、スキャン部２０４が生成した画像信号を、スキャン部２０４から受信してスキャン画像処理部４０２へ送信する。スキャン画像処理部４０２は、スキャナＩＦ部４０３を介してスキャン部２０４から取得した画像信号に対して、所定の画像処理を行う。スキャン画像処理部４０２は、画像処理後の画像信号をＭＦＰ制御部４０１に入力する。
【００３１】
プリンタＩＦ部４０５は、プリント部２０５とＭＦＰ制御部４０１との間の通信を制御するインタフェースである。プリンタＩＦ部４０５は、プリント部２０５の動作を制御するプリンタ制御信号を、ＭＦＰ制御部４０１から受信してプリント部２０５へ送信する。プリンタＩＦ部４０５は、プリント部２０５に印刷させる画像を表す画像信号をプリント画像処理部４０４から取得してプリント部２０５へ送信する。プリント画像処理部４０４は、ＭＦＰ制御部４０１から入力される画像信号に対して、所定の画像処理を行う。
【００３２】
入出力ＩＦ部４０６は、ＵＩ部２０６とＭＦＰ制御部４０１との間の通信を制御するインタフェースである。入出力ＩＦ部４０６は、ＵＩ部２０６から各種信号を受信してＭＦＰ制御部４０１へ送信する。入出力ＩＦ部４０６は、ＭＦＰ制御部４０１から、ＵＩ部２０６の動作を制御するＵＩ制御信号を受信してＵＩ部２０６へ送信する。
防災情報受信時には、ＵＩ部２０６に防災情報の緊急度に応じた報知形態で防災情報の報知を行わせるためのＵＩ制御信号が、入出力ＩＦ部４０６を介してＭＦＰ制御部４０１から送信される。ＵＩ部２０６は、ＵＩ制御信号に応じて、表示部３０１による防災情報の内容の表示、スピーカ３０３による警告音や防災情報の内容の音声出力、スピーカ３０３の音量調整、発光部３０４の点滅制御を行う。
【００３３】
通信制御部４０７は、ネットワークＩＦ部２０８とＭＦＰ制御部４０１との間で、データを送受信するためのインタフェースである。本実施形態では、通信制御部４０７は、例えば外部装置への防災情報の送信等に使用される。
【００３４】
割込制御部４０８は、無線受信部２０２から、防災情報に基づいて生成される受信データを受信する。割込制御部４０８は、ＭＦＰ１００がスリープ状態であっても電力供給されるよう構成されているために、スリープ状態時であっても受信データを受信可能である。受信データは、割込制御部４０８の割込要因となる。そのために、割込制御部４０８は、受信データを受信することで、割込ルーチン処理を実行することが可能となっている。割込ルーチン処理の詳細については後述する。
【００３５】
ＭＦＰ１００は、電源制御部２０７により、図４（ｂ）〜図４（ｅ）に示すように、通電状態が制御される。最も消費電力が小さいスリープ状態では、ＭＦＰ１００は、図４（ｂ）に示すような通電状態となる。受信した防災情報の緊急度に応じて、ＭＦＰ１００は、図４（ｃ）、図４（ｄ）、図４（ｅ）、或いはすべての構成へ電力供給した状態となる。
【００３６】
図５は、ＭＦＰ制御部４０１及び割込制御部４０８の詳細な構成例示図である。ＭＦＰ制御部４０１は、ＣＰＵ５０１、ＲＯＭ５０２、ＲＡＭ５０３、スキャナ制御部５０４、プリンタ制御部５０５、入出力制御部５０６、及びネットワーク制御部５０７を備える。割込制御部４０８は、ＣＰＵ５１０、ＲＯＭ５１１、ＲＡＭ５１２、及び割込コントローラ５１３を備える。ＭＦＰ制御部４０１及び割込制御部４０８の各部は、共通のシステムバス５０８に接続されて、通信可能になっている。
【００３７】
ＭＦＰ制御部４０１のＣＰＵ５０１は、ＲＯＭ（Read Only Memory）５０２に格納されたコンピュータプログラムを読み込んで実行する。コンピュータプログラムの実行により、ＣＰＵ５０１は、ＭＦＰ制御部４０１の動作を制御する。ＲＡＭ（Random Access Memory）５０３は、ＣＰＵ５０１がコンピュータプログラムを実行する際にワークエリアとして用いられる。ＣＰＵ５０１は、電源制御部２０７の動作を制御する電源制御信号を生成して、電源制御部２０７へ送信する。ＣＰＵ５０１は、電源制御信号によりＭＦＰ１００の各部の通電を制御する。ＲＡＭ５０３は、ワークエリアに用いられる他に、画像形成に用いられる画像信号を格納するためのメモリ領域等を有する。ＣＰＵ５０１は、ＭＦＰ１００内の各部のスリープ状態等の通電状態を表す状態表示情報をＲＡＭ５０３に格納する。
【００３８】
スキャナ制御部５０４は、スキャン画像処理部４０２から画像信号を取得して、ＲＡＭ５０３の所定のメモリ領域に格納する。スキャナ制御部５０４は、スキャナ制御信号をスキャナＩＦ部４０３との間で送受信してスキャン部２０４の動作を制御する。プリンタ制御部５０５は、プリント画像処理部４０４に対して、ＲＡＭ５０３の所定のメモリ領域に格納されている画像信号を送信する。プリンタ制御部５０５は、プリンタ制御信号をプリンタＩＦ部４０５との間で送受信してプリント部２０５の動作を制御する。
【００３９】
入出力制御部５０６は、入出力ＩＦ部４０６との間でＵＩ制御信号を送受信してＵＩ部２０６の動作を制御する。ネットワーク制御部５０７は、通信制御部４０７との間で通信制御信号を送受信してネットワークＩＦ部２０８の動作を制御する。ネットワーク制御部５０７は、ネットワークＩＦ部２０８により受信したデータをＲＡＭ５０３の所定のメモリ領域に格納する。
【００４０】
割込制御部４０８のＣＰＵ５１０は、ＲＯＭ５１１に格納されたコンピュータプログラムを読み込み、ＲＡＭ５１２をワークエリアに用いて、読み込んだコンピュータプログラムを実行する。コンピュータプログラムの実行により、ＣＰＵ５１０は、割込制御部４０８の動作を制御する。ＣＰＵ５１０は、ＭＦＰ１００のスリープ状態時の動作を制御するスリープ制御信号を生成して、電源制御部２０７へ送信する。
【００４１】
割込コントローラ５１３は、無線受信部２０２から受信データを取得した場合に、ＣＰＵ５１０に対して割込通知を送信する。割込コントローラ５１３は、受信した受信データをＲＡＭ５１２に一旦格納し、ＣＰＵ５１０の指示により、所定のタイミングでＭＦＰ制御部４０１のＲＡＭ５０３の所定のメモリ領域に転送する。
【００４２】
（防災情報のデータ構成）
図６は、無線受信部２０２により防災情報に基づいて生成される受信データの説明図である。無線受信部２０２は、防災情報に含まれる内容（緊急度及び文章）に基づいて、受信データを生成する。図６（ａ）は、受信データのフォーマットを例示する。受信データは、２ビットのヘッダ部７０１及び１キロバイトの本文部７０２から構成される。ヘッダ部７０１は２進数データ、本文部７０２は例えばシフトＪＩＳコードのようなコード化されたデータで構成される。図６（ｂ）は、ヘッダ部７０１の値と緊急度、内容、本文部７０２の本文例の例示図である。ヘッダ部７０１は、防災情報の重要性や被害が出た場合の規模に応じて設定される緊急度を表す。ヘッダ部７０１が２ビットであるため、緊急度は本実施形態では４段階で設定される。本文部７０２は、防災情報の具体的な内容を表す文章を含む。
【００４３】
ヘッダ部７０１の値が「００」の場合、「緊急度１」であり、防災情報の内容が地域情報／お知らせレベルであることを表す。具体的には、防災情報は、本文例にあるような「明日は区議会議員選挙の投票日です」といった内容となる。ヘッダ部７０１の値が「０１」の場合、「緊急度２」であり、防災情報の内容が注意報レベルであることを表す。具体的には、防災情報は、本文例にあるような「茨城県南部に大雨注意報が発表されました。浸水被害の恐れがあります」といった内容となる。ヘッダ部７０１の値が「１０」の場合、「緊急度３」であり、防災情報の内容が警報レベルであることを表す。具体的には、防災情報は、本文例にあるような「都内２３区に大雨洪水警報が発表されました。河川の氾濫等に警戒してください」といった内容となる。ヘッダ部７０１の値が、「１１」の場合、「緊急度４」であり、防災情報の内容が緊急速報／特別警報レベルであることを表す。具体的には、防災情報は、本文例にあるような「茨城県南部に震度５以上の地震が起きる可能性があります」といった内容となる。
【００４４】
（割込制御部４０８の動作）
図７は、割込制御部４０８による割込ルーチン処理を表すフローチャートである。割込制御部４０８は、無線受信部２０２から受信データを取得することで割込ルーチン処理を開始する。
【００４５】
割込制御部４０８の割込コントローラ５１３は、受信データを取得するとＣＰＵ５１０に対して割込通知を送信する。ＣＰＵ５１０は、割込通知を受信すると、ＭＦＰ１００がスリープ状態であるか否かを判断する（Ｓ６０１）。割込制御部４０８のＣＰＵ５１０は、ＭＦＰ制御部４０１のＲＡＭ５０３に格納された状態表示情報を確認することで、ＭＦＰ１００がスリープ状態であるか否かを判断することができる。
【００４６】
スリープ状態である場合（Ｓ６０１：Y）、割込制御部４０８のＣＰＵ５１０は、割込コントローラ５１３に、取得した受信データをＲＡＭ５１２へ格納させる（Ｓ６０２）。スリープ状態であれば、ＭＦＰ１００は、図４（ｂ）に示すように、割込制御部４０８及び電源制御部２０７が通電状態である。無線受信部２０２は、上記したように電源が別に設けられており、常に電力供給されて動作している。
【００４７】
割込制御部４０８のＣＰＵ５１０は、受信データを解析して、ヘッダ部７０１の値により、当該防災情報の緊急度を確認する（Ｓ６０３）。確認した緊急度が所定値よりも高い、本実施形態では最も高い値である「４」の場合（Ｓ６０４：Y）、ＭＦＰ１００は、至急、スリープ状態から通常の動作状態に復帰して、防災情報を報知する必要がある。そのために割込制御部４０８のＣＰＵ５１０は、スリープ状態からの復帰を指示するスリープ制御信号を電源制御部２０７へ送信する（Ｓ６０５）。電源制御部２０７は、当該スリープ制御信号を受信することで、ＭＦＰ制御部４０１への電力供給を再開する。
【００４８】
割込制御部４０８のＣＰＵ５１０は、ＭＦＰ制御部４０１のＲＡＭ５０３に格納された状態表示情報を確認することで、ＭＦＰ制御部４０１が動作可能状態になったかを判断する（Ｓ６０６）。ＭＦＰ制御部４０１のＣＰＵ５０１は、ＭＦＰ制御部４０１が通電後に初期化処理等を完了することで、状態表示情報を、ＭＦＰ制御部４０１が動作可能状態になったことを表す情報に更新する。図４（ｃ）は、ＭＦＰ制御部４０１が動作可能状態になったときのＭＦＰ１００の通電状態を表す。ＭＦＰ１００は、ＭＦＰ制御部４０１、割込制御部４０８、及び電源制御部２０７が通電状態になる。
【００４９】
ＭＦＰ制御部４０１が動作可能状態になった場合（Ｓ６０６：Y）、割込制御部４０８のＣＰＵ５１０は、ＲＡＭ５１２に格納した受信データを、ＭＦＰ制御部４０１のＲＡＭ５０３の所定のメモリ領域に格納する（Ｓ６０７）。この際、割込制御部４０８のＣＰＵ５１０は、割込コントローラ５１３により、システムバス５０８を介して、受信データをＲＡＭ５１２からＲＡＭ５０３へ転送させる。
【００５０】
割込制御部４０８のＣＰＵ５１０は、受信データがＭＦＰ制御部４０１のＲＡＭ５０３に格納された領域（場所）を、ＭＦＰ制御部４０１のＣＰＵ５０１に通知する（Ｓ６０８）。本実施形態では、割込制御部４０８のＣＰＵ５１０は、例えばＣＰＵ間通信として使用されるシステムコール（例えばメールボックス通信）を発行して、受信データが格納された場所を表すメモリアドレス情報を通知する。
【００５１】
Ｓ６０３の処理で確認した防災情報の緊急度が「４」ではない場合（Ｓ６０４：N）、ＭＦＰ１００は、防災情報の緊急度が所定値以下であるために、無線受信部２０２による防災情報の報知を行う。この場合、割込制御部４０８のＣＰＵ５１０は、無線受信部２０２に防災情報の報知を指示する。そのためにＭＦＰ１００は、スリープ状態から至急復帰する必要はない。割込制御部４０８のＣＰＵ５１０は、スリープ状態の継続を指示するスリープ制御信号を電源制御部２０７へ送信する（Ｓ６０９）。電源制御部２０７は、当該スリープ制御信号を受信して、図４（ｂ）に示すスリープ状態を継続する。
【００５２】
なお、Ｓ６０１の処理でＭＦＰ１００がスリープ状態ではない場合（Ｓ６０１：N）、ＭＦＰ制御部４０１は通電状態にあり、通常動作を行っている。この場合、割込制御部４０８のＣＰＵ５１０は、割込コントローラ５１３により、システムバス５０８を介してＭＦＰ制御部４０１のＲＡＭ５０３の所定のメモリ領域に受信データを格納する（Ｓ６１０）。割込制御部４０８のＣＰＵ５１０は、受信データがＭＦＰ制御部４０１のＲＡＭ５０３に格納された領域（場所）を、ＭＦＰ制御部４０１のＣＰＵ５０１に通知する（Ｓ６１１）。ＭＦＰ制御部４０１は、この通知に応じてＲＡＭ５０３から受信データを取得して防災情報の報知を行う。
【００５３】
以上のように、割込制御部４０８は、受信データをＭＦＰ制御部４０１のＲＡＭ５０３に格納し、その格納場所をＭＦＰ制御部４０１のＣＰＵ５０１に通知することで、割込ルーチン処理を終了する。
【００５４】
（ＭＦＰ制御部４０１の動作）
図８は、割込制御部４０８の割込ルーチン処理によりスリープ状態から復帰したＭＦＰ制御部４０１による、防災情報の報知処理を表すフローチャートである。ＭＦＰ制御部４０１は、割込制御部４０８による割込ルーチン処理により、ＲＡＭ５０３に防災情報の受信データを格納しており、ＣＰＵ５０１がその格納場所の通知を受信している。ＭＦＰ制御部４０１は、図７のＳ６０５、Ｓ６０６の処理によりスリープ状態から復帰する。そのために、ＲＡＭ５０３に格納される受信データの緊急度は「４」であり、早急に報知する必要がある。
【００５５】
ＭＦＰ制御部４０１のＣＰＵ５０１は、受信データをＲＡＭ５０３から取得する（Ｓ８０１）。ＭＦＰ制御部４０１のＣＰＵ５０１は、取得した受信データの本文部７０２を解析する（Ｓ８０２）。本実施形態では、ＭＦＰ制御部４０１のＣＰＵ５０１は、防災情報が地震に関する情報であるか否かを判断する。そのためにＣＰＵ５０１は、本文部７０２を解析して、本文部７０２に地震に関する文字が含まれているか否かを判断する（Ｓ８０３）。例えば、「地」、「震」の文字列は、シフトＪＩＳコードで、それぞれ１６進数で「0x926e」、「0x906b」で表される。ＣＰＵ５０１は、受信データの本文部７０２の文字列を先頭から検索して、「0x926e」及び「0x906b」を連続して検出する場合に、該防災情報が地震に関する情報であると判断する。
【００５６】
防災情報が地震に関する情報である場合（Ｓ８０３：Y）、緊急性が高いために、ＭＦＰ１００は、防災情報を直ちに報知する必要がある。そのためにＭＦＰ１００は、ＵＩ部２０６及び通信制御部４０７を通電させる。ＭＦＰ制御部４０１のＣＰＵ５０１は、電源制御部２０７にＵＩ部２０６及び通信制御部４０７を通電させるための電源制御信号を送信する。電源制御部２０７は、この電源制御信号を受信して、ＵＩ部２０６及び通信制御部４０７への電力供給を再開する（Ｓ８０５）。
【００５７】
ＭＦＰ制御部４０１のＣＰＵ５０１は、ＲＡＭ５０３に格納された状態表示情報を確認することで、ＵＩ部２０６及びネットワークＩＦ部２０８が動作可能状態になったかを判断する（Ｓ８０５）。ＵＩ部２０６は、通電後に初期化処理等を完了することで、状態表示情報を、ＵＩ部２０６が動作可能状態になったことを表す情報に更新する。同様にネットワークＩＦ部２０８は、通電後に初期化処理等を完了することで、状態表示情報を、ネットワークＩＦ部２０８が動作可能状態になったことを表す情報に更新する。図４（ｄ）は、ＵＩ部２０６及びネットワークＩＦ部２０８が動作可能状態になったときのＭＦＰ１００の通電状態を表す。ＭＦＰ１００は、ＭＦＰ制御部４０１、割込制御部４０８、電源制御部２０７、入出力ＩＦ部４０６、ＵＩ部２０６、通信制御部４０７、及びネットワークＩＦ部２０８が通電状態になる。
【００５８】
ＵＩ部２０６及びネットワークＩＦ部２０８が動作可能状態になった場合（Ｓ８０５：Y）、ＭＦＰ制御部４０１のＣＰＵ５０１は、ＵＩ部２０６により防災情報を報知する（Ｓ８０６）。ＭＦＰ１００は、ＵＩ部２０６の表示部３０１への防災情報の本文部７０２の文字列や関連する画像の表示、スピーカ３０３による音の出力、発光部３０４による発光により防災情報を報知する。関連する画像は、予め、不図示の不揮発性記憶装置に格納される。表示部３０１は、防災情報の本文部７０２にＵＲＬ（Uniform Resource Locator）が埋め込まれている場合、該ＵＲＬのウェブページの画像を表示してもよい。また、ＭＦＰ制御部４０１のＣＰＵ５０１は、ネットワークＩＦ部２０８を介して、予め定められた外部装置へ防災情報の受信データを送信する（Ｓ８０７）。
【００５９】
ＭＦＰ制御部４０１のＣＰＵ５０１は、防災情報の報知後に、ユーザにより電源遮断の指示が入力されたか否かを判断する（Ｓ８０８）。ユーザは、ＵＩ部２０６や電源ボタンにより、電源遮断の指示を入力することができる。電源遮断の指示が入力された場合（Ｓ８０８：Y）、ＭＦＰ制御部４０１のＣＰＵ５０１は、電源制御部２０７に、すべての電源を遮断するように電源制御信号を送信する。電源制御部２０７は、この電源制御信号に応じてＭＦＰ１００の電源を遮断する（Ｓ８０９）。
【００６０】
電源遮断の指示が入力されない場合（Ｓ８０８：N）、ＭＦＰ制御部４０１のＣＰＵ５０１は、ＭＦＰ１００が地震動を検知したか否かを判断する（Ｓ８１０）。ＭＦＰ１００は、地震動を検知するために不図示の振動センサ等を備える。ＭＦＰ制御部４０１は、この振動センサに接続される。ＭＦＰ制御部４０１のＣＰＵ５０１は、振動センサの検知結果により地震動を検知したか否かを判断することができる。
【００６１】
地震動を検知した場合（Ｓ８１０：Y）、ＭＦＰ制御部４０１のＣＰＵ５０１は、電源制御部２０７に、すべての電源を遮断するように電源制御信号を送信する。電源制御部２０７は、この電源制御信号に応じてＭＦＰ１００の電源を遮断する（Ｓ８０９）。地震動を検知していない場合（Ｓ８１０：N）、ＭＦＰ制御部４０１のＣＰＵ５０１は、ユーザによる電源遮断の指示の有無を判断するＳ８０８の処理を行う。
【００６２】
Ｓ８０３の処理において防災情報が地震に関する情報ではない場合（Ｓ８０３：N）、ＭＦＰ１００は、地震以外の緊急度の高い防災情報を報知する。ＭＦＰ制御部４０１のＣＰＵ５０１は、Ｓ８０２の処理で受信データの本文部７０２を解析した結果、例えば、地震以外で緊急度が高い特別警報（大津波、豪雨、高潮等）に関する文字列が本文部７０２に含まれているか否かを判断する。例えば、「特」、「別」、「警」、「報」の文字列は、シフトＪＩＳコードで、それぞれ１６進数で「0x93c1」、「0x95ca」、「0x8c78」、「0x95f1」で表される。ＭＦＰ制御部４０１のＣＰＵ５０１は、受信データの本文部７０２の文字列を先頭から検索して、「0x93c1」、「0x95ca」、「0x8c78」、「0x95f1」を連続して検出する場合に、該防災情報が緊急度が高い特別警報であると判断する。
【００６３】
ＭＦＰ制御部４０１のＣＰＵ５０１は、電源制御部２０７にＭＦＰ１００の全体を通電させるための電源制御信号を送信する。電源制御部２０７は、この電源制御信号を受信して、ＭＦＰ１００の全体への電力供給を再開する（Ｓ８１１）。特別警報に分類される災害は、地震と比較して実際に罹災するまでに時間がかかることが多い。そのためにＵＩ部２０６による報知以外に、プリント部２０５から防災情報に関連する避難経路等の画像をプリント出力する時間的余裕があると考えられる。そこで、ＭＦＰ制御部４０１のＣＰＵ５０１は、ＭＦＰ１００の全体を通電させる。
【００６４】
ＭＦＰ制御部４０１のＣＰＵ５０１は、ＲＡＭ５０３に格納された状態表示情報を確認することで、ＭＦＰ１００が動作可能状態になったかを判断する（Ｓ８１２）。ＭＦＰ１００の各部は、通電後に初期化処理等を完了することで、状態表示情報を動作可能状態になったことを表す情報に更新する。図４（ｅ）は、防災情報の報知に必要な部分が動作可能状態になったときのＭＦＰ１００の通電状態を表す。ＭＦＰ１００は、ＭＦＰ制御部４０１、割込制御部４０８、電源制御部２０７、入出力ＩＦ部４０６、ＵＩ部２０６、通信制御部４０７、ネットワークＩＦ部２０８、プリント画像処理部４０４、プリンタＩＦ部４０５、及びプリント部２０５が通電状態になる。
【００６５】
ＭＦＰ１００が動作可能状態になった場合（Ｓ８１２：Y）、ＭＦＰ制御部４０１のＣＰＵ５０１は、ＵＩ部２０６により防災情報を報知する（Ｓ８１３）。ＭＦＰ１００は、ＵＩ部２０６により、Ｓ８０６の処理と同様にして防災情報を報知する。
【００６６】
ＭＦＰ制御部４０１のＣＰＵ５０１は、プリント部２０５により、防災情報の本文部７０２の文字列や避難経路等の関連する画像のプリント出力を行う（Ｓ８１４）。プリント部２０５は、防災情報の本文部７０２にＵＲＬが埋め込まれている場合に、該ＵＲＬのウェブページの画像をプリント出力してもよい。プリント部２０５は、所定枚数のプリント出力を行う。
【００６７】
プリント出力の終了後、ＭＦＰ制御部４０１のＣＰＵ５０１は、ＭＦＰ１００が動作可能状態になってから所定時間（例えば１時間）経過したか否かを判断する（Ｓ８１５）。ＭＦＰ制御部４０１は、不図示のタイマを備えており、これによりＭＦＰ１００が動作可能状態になってからの時間を計測する。ここでは、タイマがＭＦＰ制御部４０１が動作可能になってからの時間をＭＦＰ１００が動作可能になってからの時間として計測する。所定時間経過した場合（Ｓ８１５：Y）、ＭＦＰ制御部４０１のＣＰＵ５０１は、電源制御部２０７に、すべての電源を遮断するように電源制御信号を送信する。電源制御部２０７は、この電源制御信号に応じてＭＦＰ１００の電源を遮断する（Ｓ８０９）。
【００６８】
所定時間経過していない場合（Ｓ８１５：N）、ＭＦＰ制御部４０１のＣＰＵ５０１は、ユーザにより電源遮断の指示が入力されたか否かを判断する（Ｓ８１６）。電源遮断の指示が入力された場合（Ｓ８１６：Y）、ＭＦＰ制御部４０１のＣＰＵ５０１は、電源制御部２０７に、すべての電源を遮断するように電源制御信号を送信する。電源制御部２０７は、この電源制御信号に応じてＭＦＰ１００の電源を遮断する（Ｓ８０９）。電源遮断の指示が入力されない場合（Ｓ８１６：N）、ＭＦＰ制御部４０１のＣＰＵ５０１は、所定時間の経過を判断するＳ８１５の処理を行う。
なお、Ｓ８０９において防災情報の報知後にＭＦＰ１００の電源を遮断することで、罹災したときにＭＦＰ１００による二次災害の発生を防止する。
【００６９】
以上のように本実施形態のＭＦＰ１００は、スリープ状態のときに防災情報を受信すると、該防災情報の緊急度に応じてスリープ状態から復帰するか否かを判断する。復帰する必要が無い場合、ＭＦＰ１００はスリープ状態を維持するために、消費電力を抑制することができる。緊急度が高く、至急復帰する必要がある場合、ＭＦＰ１００は、スリープ状態から迅速に復帰する。この場合、ＭＦＰ１００は、防災情報の内容から、災害内容に応じた部分に電源を供給することで、無駄な消費電力の増大を防止する。また、報知に必要な部分への電力供給を迅速に行うことで、防災情報のユーザへの報知を速やかに行うことができる。
【００７０】
本実施形態では、ＭＦＰ１００が防災情報が地震の場合に緊急度が最も高いと判断して処理を行っているが、緊急度の判定はこの限りではない。例えば、防災情報が特別警戒で大津波の場合かつ津波の高さが高い、あるいは津波の到達時間が所定時間以内である場合には、緊急度が、より高いと判断される。つまり、防災情報の本文部７０２の文章をより細かく解析することで、緊急度の判定がより妥当なものとなる。
【００７１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2017094577.tif 000003
【図２】
2017094577.tif 000004
【図３】
2017094577.tif 000005
【図４】
2017094577.tif 000006
【図５】
2017094577.tif 000007
【図６】
2017094577.tif 000008
【図７】
2017094577.tif 000009
【図８】
2017094577.tif 000010